【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
コアと少なくとも一つのクラッド領域を有する光ファイバを通じてサンプルを撮像する方法であって、
（ａ）前記光ファイバの前記コアを通じて第１の伝播光を前記サンプルへ伝送するステップと、
（ｂ）前記サンプルで散乱された光を前記光ファイバの前記少なくとも一つのクラッド領域に集光するステップと、
を含むことを特徴とする方法。
【請求項２】
前記光ファイバは複数のクラッド領域を有し、かつ前記方法は、前記サンプルで散乱された光を前記光ファイバの該複数のクラッド領域の二つ以上に集光するステップをさらに含む、請求項１に記載の方法。
【請求項３】
前記サンプルで散乱された光を前記光ファイバの各クラッド領域に集光するステップをさらに含む、請求項２に記載の方法。
【請求項４】
前記サンプルで散乱された光を前記光ファイバの前記コアに集光するステップをさらに含む、請求項１に記載の方法。
【請求項５】
前記光ファイバは複数のクラッド領域を有し、かつ前記方法は、前記サンプルで散乱された光を前記光ファイバの前記クラッド領域の二つ以上に集光するステップをさらに含む、請求項３に記載の方法。
【請求項６】
前記光ファイバの前記コアを通じて光の第１の伝播モードをサンプルへ伝送するステップは、
前記ファイバの前記コアを通じて空間的にコヒーレントな光を伝送するステップと、
前記空間的にコヒーレントな光にサンプルの表面上のスポットを結ばせるステップと、
前記サンプルの表面で散乱された光を前記ファイバの内側クラッド領域に集光するステップと、を含む請求項１に記載の方法。
【請求項７】
前記光ファイバの前記コアを通じて光の第１の伝播モードをサンプルへ伝送するステップは、
空間的にコヒーレントな光にサンプルの表面上のスポットを結ばせるステップをさらに含む、請求項６に記載の方法。
【請求項８】
コアと少なくとも一つのクラッド領域を有する光ファイバを通じてサンプルを撮像する方法であって、
（ａ）前記光ファイバの前記少なくとも一つのクラッド領域の少なくとも一つの領域を通じて光の第１の伝播モードを前記サンプルへ伝送するステップと、
（ｂ）前記サンプルで散乱された光を前記光ファイバの前記コア及び前記少なくとも一つのクラッド領域に集光するステップと、
を含むことを特徴とする方法。
【請求項９】
前記光ファイバは複数のクラッド領域を有し、かつ前記方法は、前記サンプルで散乱された光を前記光ファイバの各クラッド領域に集光するステップをさらに含む、請求項８に記載の方法。
【請求項１０】
サンプルを照明する少なくと一つの電磁放射線が伝播する光ファイバまたは光導波路の少なくとも一つを含み、かつ第１のファイバクラッド領域を含む光伝送路部と、
前記光伝送路部と分離され、前記サンプルから受光した少なくとも一つの別の放射線が伝播するように構成された集光路部であって、特定のファイバコア及び第２のファイバクラッド領域を含む集光路部と、を有し、
前記第１のファイバクラッド領域は、前記特定のファイバコアに結合されるか、または前記特定のファイバコアを囲むかの少なくとも何れかである、
ことを特徴とする装置。
【請求項１１】
前記光伝送路部は、別のファイバコア及び前記第１のファイバクラッド領域を含む、請求項１０に記載の装置。
【請求項１２】
前記装置は、
（ａ）ダブルクラッドファイバと、
（ｂ）マルチクラッドファイバと、
（ｃ）一つのシングルモードファイバ及び一つのマルチモードファイバと、
（ｄ）照明用シングルモードファイバ及び一つ以上の信号収集用マルチモード導波路と、
（ｅ）照明用の複数のシングルモードファイバ及び一つ以上の信号収集用マルチモード導波路と、
の少なくとも一つをさらに有する、請求項１１に記載の装置。
【請求項１３】
前記装置は、不整形なクラッド層をさらに有する、請求項１１に記載の装置。
【請求項１４】
少なくとも一つのコヒーレント検出処理を行えるように、前記シングルモード照明コアまたは前記装置内の前記シングルモード導波路の少なくとも何れか一つから信号を受信するように前記装置の接続部に結合されるコヒーレント検出部をさらに有する、請求項１３に記載の装置。
【請求項１５】
スペクトル符号化イメージング光学システムであって、
光源と、
前記光源から伝送される光を遮るように構成されたビームスプリッタと、
ダブルクラッドファイバであって、前記ビームスプリッタで該ダブルクラッドファイバへ向けられた光を遮るように構成され、該ダブルクラッドファイバの第１の光伝送路に沿って光が伝播することを可能にするダブルクラッドファイバと、
前記ダブルクラッドファイバからの光を遮るように構成されたコリメータレンズと、
イメージングプローブであって、前記コリメータレンズから該イメージングプローブへ向けられた光を受光するように構成され、サンプルへ光を向ける第２の光伝送路と、該サンプルで反射された光を受光する集光路とを有するイメージングプローブと、を有し、
前記ダブルクラッドファイバは、(i)前記サンプルで受光される光を伝播させるように構成された第１のファイバクラッド領域と、(ii)前記第１のファイバクラッド領域と別個に設けられ、前記サンプルで反射された光を伝播するように構成された第２のファイバクラッド領域及びファイバコア領域を有することを特徴とする光学システム。
【請求項１６】
前記光源は広帯域光源であり、
前記イメージングプローブは小型イメージングプローブである、請求項１５に記載のシステム。
【請求項１７】
前記光源は、前記光ファイバのコアまたは前記光ファイバのクラッド領域の少なくとも何れか一つを通じて、空間的にコヒーレントな光の第１の伝播モードを前記サンプルへ伝送し、
前記イメージングプローブは前記空間的にコヒーレントな光にサンプルの表面上のスポットを結ばせ、
前記イメージングプローブは、別のファイバコア領域または前記第１のクラッド領域の少なくとも何れか一つを通じて光を前記サンプルへ伝送し、かつ、
前記イメージングプローブは、ファイバの前記第２のクラッド領域または該ファイバのコア領域の少なくとも何れか一つに前記サンプルで反射された光を集光する、請求項１６に記載のシステム。
【請求項１８】
前記光源は広帯域光源であり、
前記イメージングプローブは小型イメージングプローブである、請求項１６に記載のシステム。
【請求項１９】
前記特定のファイバコア及び前記別のファイバコアは同一である、請求項１１に記載の装置。
【請求項２０】
前記集光路部は、前記特定のファイバコアと前記第２のファイバクラッド領域の間に設けられる、請求項１０に記載の装置。
【請求項２１】
前記第１のファイバクラッド領域または前記第２のファイバクラッド領域の少なくとも何れか一つは、前記サンプルの視野の深さを増加させるか、前記サンプルに関するスペックルデータ特性を減少させるかの少なくとも何れか一方を含むように構成された直径を持つ、請求項１０に記載の装置。
【請求項２２】
ファイバコアと、第１のファイバクラッドと、該第１のファイバクラッドとは別個の第２のファイバクラッドとを含む、光ファイバまたは光導波路の少なくとも一つを有し、
前記第１のファイバクラッドは、サンプルを照明する少なくとも一つのの電磁放射線を伝播するように構成され、
前記ファイバコア及び前記第２のファイバクラッドは、前記サンプルから受光した少なくとも一つの別の放射線を伝播するように構成される
ことを特徴とする装置。